(57)【要約】      （修正有）【課題】芯の中に空気を入れ、その圧力によって、芯の先端までインクを前進させることで、ボールペンの芯からインクを出す器具を提供する。【解決手段】円柱型ピストンの台座５を外に向かって引くと、円柱型ピストン２が外に向かって移動し、尖った嘴から空気管１に空気が入る。空気管１の中の空気が満ちたら、尖った嘴をボールペンの芯に差し込み、密着させる。それから、円柱型ピストンの台座５を前に押し出すと、円柱型ピストン２が前に移動し、空気管１の中の空気が芯の中へ押し込まれる。その結果、芯の中の気圧が高まり、その圧力によって、芯の中のインクが前進する。【選択図】図１
0003152115.tif 000002
【実用新案登録請求の範囲】
【請求項１】
ボールペンの芯の中に空気を入れて、芯の中の気圧を高め、ボールペンの芯からインクを出す器具。
【請求項２】
空気管とピストンを持つ、請求項１記載のボールペンの芯からインクを出す器具。
【請求項３】
空気管の裾に、外に突き出たつばを持つ、請求項２記載のボールペンの芯からインクを出す器具。
【請求項４】
空気管に二つの耳を持つ、請求項２記載のボールペンの芯からインクを出す器具。
【請求項５】
ピストンが円柱形である（図中の２）、請求項２記載のボールペンの芯からインクを出す器具。
【請求項６】
３枚または４枚の羽から成る支柱の頂点に、ピストンを固定した、請求項２記載のボールペンの芯からインクを出す器具。
【請求項７】
空気管の頭部に、空気管とつながる尖った嘴（図中の４，１１，１５）を設置した、請求項２記載のボールペンの芯からインクを出す器具。
【請求項８】
空気管の上部の尖った嘴をボールペンの芯の中に差し込み、密着させて空気を漏らさないようにした、請求項７記載のボールペンの芯からインクを出す器具。
【請求項９】
尖った嘴の先端が円錐形で、中央と後方は円柱形になっており、円柱形になっている部分の断面の外径が、ボールペンの芯の断面の内径とほぼ同じ大きさである、請求項７記載のボールペンの芯からインクを出す器具。
【考案の詳細な説明】
【技術分野】
【０００１】  本考案は、ボールペンの芯からインクを出すための器具に関するものである。
【背景技術】
【０００２】  現在、ボールペンの芯からインクを出すための器具は存在しない。
【考案の開示】
【考案が解決しようとする課題】
【０００３】  ボールペンで字を書こうとして、芯からインクが出てこないことがたびたびある。また、ボールペンで字を書こうとして、書いているうちにインクが出なくなることもある。力を込めてこすりつけると、たまにインクが出てくる場合もあるが、またすぐに出なくなってしまう。また、どんなにこすっても、インクが出ない場合もある。それなのに、芯の中には、まだたくさんのインクが残っているのである。【０００４】  また、芯からインクが出にくいために、字を書く時、力を込めなくてはならない場合がある。インクが、途切れ途切れにしか出てこないために、書いた字の一部が見えない場合もある。【０００５】  本考案は、ボールペンの芯からインクが出ない、インクが出にくい、および途切れ途切れにしか出ないといった問題を解決することができる。
【課題を解決するための手段】
【０００６】  本考案は、上記の目的を達成するため、芯の中に空気を入れ、芯の中の気圧を高めて、その圧力によって、芯の先端までインクを前進させる。
【考案の効果】
【０００７】  本考案のボールペンの芯からインクを出す器具は、インクが出ない芯からインクを出し、インクが出にくい芯のインクを出やすくし、インクが途切れ途切れにしか出ない芯から、インクを続けて出すことができる。
【考案を実施するための最良の形態】
【０００８】  本考案のボールペンの芯からインクを出す器具は、主に空気管とピストンから成る。空気管の太さは、中くらいの太さのボールペンにおけるペン軸（芯が入っている管）の内径に等しいか、大差ないものがよい。空気管の長さは、ボールペンの芯より短くする。ボールペンの芯の２分の１、あるいは３分の１くらいの長さがよい。だが、空気管の容積は、ボールペンの芯の容積より大きくなければならない。空気管を短く、ピストンも短くすれば、空気を入れる時、手でピストンを押しやすい。【０００９】  空気管の頭は閉じているが、裾は開いている。空気管の頭には、空気管内とつながる尖った嘴を設置する。尖った嘴の先端は円錐形で、中央と後方は円柱形になっている。円柱形になっている部分の断面の外径は、芯の断面の内径とほぼ同じ大きさである。そうすれば、尖った嘴の部分を、たやすく芯の中に差し込み、密着させることができる。【００１０】実施例１では、空気管の裾に、外に突き出たつばを設置する。そうすれば、芯に空気を入れる時、人差し指と中指を空気管の裾のつばに掛け、たやすく入れることができる。また、空気管のピストンは、円柱形にする。ピストンは気密性をよくし、空気を入れる時、漏れないようにする。【００１１】実施例２では、空気管は、実施例１記載のものと全く同じであるが、ピストンが異なる。本実施例におけるピストンは、円盤状で、３枚の羽から成る支柱で固定されている。【００１２】  実施例３では、空気管の裾に、耳を二つ設置する。ピストンは、実施例１記載のものでも、実施例２記載のものでも、どちらと同形でもかまわない。
【実施例１】
【００１３】  図１に沿って説明する。１は空気管である。２は円柱型ピストンである。３はつばである。４は尖った嘴である。５は円柱型ピストンの台座である。円柱型ピストンの台座５を外に向かって引くと、円柱型ピストン２が外に向かって移動し、尖った嘴４から空気管１に空気が入る。空気管１の中の空気が満ちたら、尖った嘴４をボールペンの芯に差し込み、密着させる。それから、円柱型ピストンの台座５を前に押し出すと、円柱型ピストン２が前に移動し、空気管１の中の空気が芯の中へ押し込まれる。その結果、芯の中の気圧が高まり、その圧力によって、芯の中のインクが前進する。
【実施例２】
【００１４】  図２と図３に沿って説明する。６はピストンである。７は羽である。９は台座である。１０は空気管である。１１は尖った嘴である。ピストン６の支柱８は、３枚の羽７から成る。ピストン６の支柱８の台座９を外に向かって引くと、空気管１０の尖った嘴１１から空気管１０に空気が入る。空気管１０の中の空気が満ちたら、尖った嘴１１をボールペンの芯に差し込み、密着させる。それから、ピストン６の支柱８の台座９を前に押し出すと、ピストン６が前に移動し、空気管１０の中の空気が、ボールペンの芯の中へ押し込まれる。その結果、芯の中の気圧（空気の圧力は大きい）が高まり、その圧力によって、芯の中のインクが前進する。
【実施例３】
【００１５】  図４に沿って説明する。１３は空気管である。１４は耳である。空気を入れる時、人差し指と中指を二つの耳１４に掛けることにより、二つの耳に対して、後ろ向きの力を加えることができる。
【図面の簡単な説明】
【００１６】
【図１】本考案の実施例１における、ボールペンの芯からインクを出す器具
【図２】本考案の実施例２における、ボールペンの芯からインクを出す器具の中の空気管内のピストン、およびピストンの支柱と支柱の台座
【図３】本考案の実施例２における、ボールペンの芯からインクを出す器具
【図４】本考案の実施例３における、ボールペンの芯からインクを出す器具
【図５】本考案のボールペンの芯からインクを出す器具における、尖った嘴の断面図
【符号の説明】
【００１７】１  空気管
２  円柱型ピストン
３  つば
４  尖った嘴
５  円柱型ピストンの台座
６  ピストン
７  羽
８  ピストンの支柱
９  台座
１０  空気管
１１  尖った嘴
１２  つば
１３  空気管
１４  耳
１５  尖った嘴
１６  ピストンの支柱
１７  ピストンの支柱の台座
１８  尖った嘴
【図１】
0003152115.tif 000003
【図２】
0003152115.tif 000004
【図３】
0003152115.tif 000005
【図４】
0003152115.tif 000006
【図５】
0003152115.tif 000007
【手続補正書】
【提出日】平成21年4月24日(2009.4.24)
【手続補正１】
【補正対象書類名】実用新案登録請求の範囲
【補正対象項目名】全文
【補正方法】変更
【補正の内容】
【実用新案登録請求の範囲】
【請求項１】
空気管とピストンを持つ、ボールペンの芯からインクを出す器具。
【請求項２】
空気管の裾に、外に突き出たつばを持つ、請求項１記載のボールペンの芯からインクを出す器具。
【請求項３】
空気管に二つの耳を持つ、請求項１記載のボールペンの芯からインクを出す器具。
【請求項４】
ピストンが円柱形である、請求項１記載のボールペンの芯からインクを出す器具。
【請求項５】
３枚または４枚の羽から成る支柱の頂点に、ピストンを固定した、請求項１記載のボールペンの芯からインクを出す器具。
【請求項６】
空気管の頭部に、空気管とつながる尖った嘴を設置した、請求項１記載のボールペンの芯からインクを出す器具。
【請求項７】
空気管の上部の尖った嘴をボールペンの芯の中に差し込み、密着させて空気を漏らさないようにした、請求項６記載のボールペンの芯からインクを出す器具。
【請求項８】
尖った嘴の先端が円錐形で、中央と後方は円柱形になっており、円柱形になっている部分の断面の外径が、ボールペンの芯の断面の内径とほぼ同じ大きさである、請求項６記載のボールペンの芯からインクを出す器具。